(57)【要約】【課題】地震のない通常時にはブレースを収納し、地震時にはブレースを緊張させて耐震機能を発揮させることができるブレース型耐震装置を提供する。【解決手段】開口部内またはその近傍に設けられた矩形枠状のフレーム２と、フレーム２の上フレーム２ａと側フレーム２ｃとの連結部近傍に一端部３ａが固定されたブレース３と、ブレース３の他端部３ｂ側をフレーム２の上フレーム２ａ側に保持する保持手段１２と、地震予知検知手段１４によって地震発生が特定された際に、保持手段１２によるブレース３の他端部３ｂ側の保持を解除させ、他端部３ｂ側を自重によって下降させる保持解除手段１３と、ブレース３の他端部３ｂ側がその自重によって降下した際、ブレース３の他端部３ｂを、ブレース３の一端部３ａが固定されたフレーム２の角部に対して対角となる角部に固定し、ブレース３を緊張させる固定手段と、を備えたブレース型耐震装置。【選択図】図１
2008291499.tif 000002
【特許請求の範囲】
【請求項１】
構造躯体の柱梁架構における開口部内または開口部近傍に、該開口部の周縁に沿って設けられた、上フレームと下フレームとこれらの間に設けられた一対の側フレームとからなる矩形枠状のフレームと、
前記フレームの角部をなす前記上フレームと前記側フレームとの連結部近傍に一端部が固定されたブレースと、
前記ブレースの他端部側を前記フレームの上フレーム側に保持する保持手段と、
地震を予知しまたは検知する地震予知検知手段によって地震発生が特定された際に、前記保持手段による前記ブレースの他端部側の保持を解除させ、該他端部側をその自重によって下降させる保持解除手段と、
前記ブレースの他端部側がその自重によって降下した際、該ブレースの他端部を、該ブレースの一端部が固定された前記フレームの角部に対して対角となる角部に固定し、該ブレースを緊張させる固定手段と、を備えたことを特徴とするブレース型耐震装置。
【請求項２】
前記ブレースがワイヤーブレース材によって形成されてなり、該ブレースの他端部は、その一端部が固定された一の側フレームと反対の側の他の側フレームの上端部またはその近傍にて前記保持手段に保持され、
前記ブレースの他端部は、前記保持手段による保持が解除された際にその自重によって他の側フレームに沿って下降し、前記固定手段によって固定されるよう構成されたことを特徴とする請求項１記載のブレース型耐震装置。
【請求項３】
前記ブレースの一端部が固定された一の側フレームと反対の側の他の側フレームの上端部またはその近傍に、小梁材の基端部が回動可能に設けられ、
前記小梁材にはその先端部に前記ブレースの他端部が固定され、かつ、該ブレースはその他端部側が前記保持手段によって保持され、
前記小梁材は、前記保持手段による前記ブレースの他端部側の保持が解除された際に該小梁材の基端側を回動中心にしてその自重で回動し、その先端側が前記固定手段によって他の側フレームの下端部に固定されることにより、前記ブレースの他端部側が、該ブレース材の一端部が固定された前記フレームの角部に対して対角となる角部に固定されるよう構成されたことを特徴とする請求項１記載のブレース型耐震装置。
【請求項４】
前記ブレースはワイヤーブレース材によって形成されていることを特徴とする請求項３記載のブレース型耐震装置。
【請求項５】
前記ブレースは伸長可能なブレース材によって形成されていることを特徴とする請求項３記載のブレース型耐震装置。
【請求項６】
前記ブレースは折曲可能かつ短縮可能に形成されてなり、該ブレースは、折曲された状態で前記上フレームと、その一端部が固定された一の側フレームと反対の側の他の側フレームとに沿って配され、その状態で他端部側が前記保持手段によって上フレーム側に保持されるとともに、その他端部が前記固定手段によって該ブレースの一端部が固定された前記フレームの角部に対して対角となる角部に固定され、
前記ブレースは、前記保持手段による保持が解除された際にその自重によって中央部が下降し、かつ短縮することにより、その一端部が固定された角部と他端部が固定された角部との間で直線状に緊張するよう構成されたことを特徴とする請求項１記載のブレース型耐震装置。
【発明の詳細な説明】
【技術分野】
【０００１】
本発明は、地震のない通常時にはブレースを収納し、地震時にはブレースを緊張させて耐震機能を発揮するブレース型耐震装置に関する。
【背景技術】
【０００２】
ブレースは、地震時の建物への水平入力に対して有効に抵抗し、優れた耐震効果を奏することから、新築時、補強時のいずれにも、構造躯体である柱梁架構の矩形の開口部内に配置され、用いられている。
【０００３】
ところが、ブレースは通常、前記開口部内に対角線状、すなわち×字型に取り付けられてこの開口部内を分断していることから、地震時以外の通常時には、開口部内の空間の有効利用を阻害し、また、外見上も好ましくない印象を与えている。
外見上の印象を高めるためには、開口部内へのブレースの取り付けを×字型でなく、ハの字型やロの字型にするなどして、視覚に影響を与えないようにすることが考えられるが、その場合には、地震時における耐震効果が低下してしまうといった問題がある。
【０００４】
このような背景のもとに従来では、特許文献１に示されたように、通常時にはブレースを収納し、地震時には鋼材ブレースを迫り出させる収納型耐震装置が提案されている。
また、特許文献２には、ワイヤーを用いて建物（建造物）の倒壊を防止する装置が提案されている。
【特許文献１】特開２００４−２３８８２６号公報
【特許文献２】特許第３１８９０８６号公報
【発明の開示】
【発明が解決しようとする課題】
【０００５】
しかしながら、特許文献１に示された収納型耐震装置は大掛かりな装置となるため、建物の新築時にはこの装置を柱梁架構の開口部に組み込むことができるものの、既存の建物の補強時には、柱梁架構にこの装置を組み込みあるいは取り付けるのが困難である。
また、特許文献２に示された建造物における倒壊防止装置も、ウィンチなど複雑な装置を必要とすることから、倒壊防止装置全体の構成が複雑化・大型化し、やはり既存の建物の補強時にはこの装置を組み込みあるいは取り付けるのが困難である。
さらに、これらの装置では、いずれも複雑で大掛かりとなるため、施工コストが高くなり、したがって装置自体のコストが高くなるといった課題もある。
【０００６】
本発明は前記事情に鑑みてなされたもので、その目的とするところは、地震のない通常時にはブレースを収納し、地震時にはブレースを緊張させて耐震機能を発揮させることができ、しかも、新築時にはもちろん、補強時にも構造躯体である柱梁架構の開口部に容易にかつ低コストで組み込みあるいは取り付けることができる、ブレース型耐震装置を提供することにある。
【課題を解決するための手段】
【０００７】
前記目的を達成するため本発明のブレース型耐震装置は、構造躯体の柱梁架構における開口部内または開口部近傍に、該開口部の周縁に沿って設けられた、上フレームと下フレームとこれらの間に設けられた一対の側フレームとからなる矩形枠状のフレームと、
前記フレームの角部をなす前記上フレームと前記側フレームとの連結部近傍に一端部が固定されたブレースと、
前記ブレースの他端部側を前記フレームの上フレーム側に保持する保持手段と、
地震を予知しまたは検知する地震予知検知手段によって地震発生が特定された際に、前記保持手段による前記ブレースの他端部側の保持を解除させ、該他端部側をその自重によって下降させる保持解除手段と、
前記ブレースの他端部側がその自重によって降下した際、該ブレースの他端部を、該ブレースの一端部が固定された前記フレームの角部に対して対角となる角部に固定し、該ブレースを緊張させる固定手段と、を備えたことを特徴としている。
【０００８】
このブレース型耐震装置によれば、地震のない通常時にはブレースがフレーム近傍に保持され、ここに収納されているので、柱梁架構における開口部内を例えば×字型に分断することがない。また、地震時には、ブレースがフレーム内にて一の角部とその対角となる他の角部との間に固定され、緊張させられるようになっているので、このブレースによる建物への水平入力に対する抵抗力を、フレームを介して柱梁架構に伝えることができ、したがって良好な耐震機能を発揮するようになる。
さらに、ブレースは、その他端部側が自重によって降下することにより、固定手段によって前記の他の角部に固定され、緊張させられるようになっているので、本発明の装置は大掛かりな装置とならず、比較的簡易な構成のものとなる。そして、このように簡易な構成であり、しかもブレースがフレームに保持収納され、このフレーム内の一の角部と他の角部との間で緊張させられるようになっているので、本発明の装置を構造躯体の柱梁架構に組み込みあるいは取り付ける場合、単にこのフレームを柱梁架構における開口部内または開口部近傍に取り付けるだけでよくなり、施工が極めて容易になる。
【０００９】
また、前記ブレース型耐震装置においては、前記ブレースがワイヤーブレース材によって形成されてなり、該ブレースの他端部は、その一端部が固定された一の側フレームと反対の側の他の側フレームの上端部またはその近傍にて前記保持手段に保持され、前記ブレースの他端部は、前記保持手段による保持が解除された際にその自重によって他の側フレームに沿って下降し、前記固定手段によって固定されるよう構成されていてもよい。
このようにすれば、ブレースがワイヤブレース材によって形成されているので、これを折り畳むことなどによってフレームに容易に収納することができる。また、例えば側フレームにガイドを設けておくことなどにより、ブレースの他端部を下降させて固定手段に容易に固定させることが可能になる。したがって、全体の装置構成が簡易になり、構造躯体の柱梁架構に組み込みあるいは取り付ける際の施工がより容易になるとともに、装置の低コスト化も可能になる。
【００１０】
また、前記ブレース型耐震装置においては、前記ブレースの一端部が固定された一の側フレームと反対の側の他の側フレームの上端部またはその近傍に、小梁材の基端部が回動可能に設けられ、前記小梁材にはその先端部に前記ブレースの他端部が固定され、かつ、該ブレースはその他端部側が前記保持手段によって保持され、前記小梁材は、前記保持手段による前記ブレースの他端部側の保持が解除された際に該小梁材の基端側を回動中心にしてその自重で回動し、その先端側が前記固定手段によって他の側フレームの下端部に固定されることにより、前記ブレースの他端部側が、該ブレース材の一端部が固定された前記フレームの角部に対して対角となる角部に固定されるよう構成されていてもよい。
このようにすれば、小梁材の自重による回動によってブレースの他端部が他の側フレームの下端部に案内され、ここで固定手段によって固定されるようになる。したがって、全体の装置構成が簡易になり、構造躯体の柱梁架構に組み込みあるいは取り付ける際の施工がより容易になるとともに、装置の低コスト化も可能になる。
【００１１】
なお、前記ブレースは、ワイヤーブレース材によって形成されていてもよく、その場合には、折り畳むことなどによってこのブレースをフレームに容易に収納することができる。
また、前記ブレースは伸長可能なブレース材によって形成されていてもよく、その場合には、フレームに沿ってブレースを確実にかつ容易に収納することができる。
【００１２】
また、前記ブレース型耐震装置においては、前記ブレースは折曲可能かつ短縮可能に形成されてなり、該ブレースは、折曲された状態で前記上フレームと、その一端部が固定された一の側フレームと反対の側の他の側フレームとに沿って配され、その状態で他端部側が前記保持手段によって上フレーム側に保持されるとともに、その他端部が前記固定手段によって該ブレースの一端部が固定された前記フレームの角部に対して対角となる角部に固定され、前記ブレースは、前記保持手段による保持が解除された際にその自重によって中央部が下降し、かつ短縮することにより、その一端部が固定された角部と他端部が固定された角部との間で直線状に緊張するよう構成されていてもよい。
このようにすれば、予めブレースの一端部がフレームの角部に固定され、他端部が対角となる角部に固定されているので、保持手段による保持が解除されて中央部が自重によって下降した際にも、ブレースの両端部を確実に固定した状態でこれを緊張させることができる。したがって、全体の装置構成が簡易になり、構造躯体の柱梁架構に組み込みあるいは取り付ける際の施工がより容易になるとともに、装置の低コスト化も可能になる。
【発明の効果】
【００１３】
本発明のブレース型耐震装置によれば、地震のない通常時にはブレースが収納されているので、柱梁架構における開口部内を例えば×字型に分断することがなく、したがって開口部内の空間の有効利用を図ることができ、また、外見上の印象を高めることもできる。
また、地震時にはブレースによって良好な耐震機能を発揮させることができ、これにより構造躯体の耐震性を十分に高めることができる。
さらに、比較的簡易な構成であり、しかも通常時にはブレースがフレームに保持収納され、地震時にはこのフレーム内の一の角部と他の角部との間で緊張させられるようになっているので、このブレース型耐震装置を構造躯体の柱梁架構に組み込みあるいは取り付ける際の施工が極めて容易になり、したがって、新築時、あるいは補強時における耐震性の向上を、従来に比べ格段に安価なコストで実現することができる。
【発明を実施するための最良の形態】
【００１４】
以下、図面を参照して本発明を詳細に説明する。
図１（ａ）〜（ｃ）は、本発明のブレース型耐震装置の第１実施形態を示す正面図であり、図１中符号１はブレース型耐震装置である。このブレース型耐震装置１は、フレーム２と、このフレーム２内に設けられるブレース３とを備えて構成されたものである。フレーム２は、図２（ａ）、（ｂ）に示すように建物の構造躯体の柱梁架構４における開口部５内に組み込まれてアンカーボルト等によって取り付けられ、あるいは、図３（ａ）、（ｂ）に示すように建物の構造躯体の柱梁架構４における開口部５の近傍、すなわち開口部５の外部にアンカーボルト等によって取り付けられたもので、該開口部５の周縁に沿って取り付けられたものである。
【００１５】
フレーム２は、上フレーム２ａと下フレーム２ｂとこれらの間に設けられた一対の側フレーム２ｃとからなる矩形枠状のもので、例えばチャンネル材などの鋼材が枠状に組まれて形成されたものである。なお、一対の側フレーム２ｃについては、特に一方を指す場合には左側フレーム２ｃＬ、右側フレーム２ｃＲと記す場合もある。
【００１６】
このようなフレーム２を備えてなるブレース型耐震装置１は、図１（ａ）に示すように、一対のブレース３を有して形成されている。これらブレース３は、鋼線や線条体、合成繊維等を編み組みした公知のワイヤーブレース材からなるもので、その一端部３ａが、前記フレーム２の上側の角部、つまり上フレーム２ａと側フレーム２ｃとの連結部あるいはその近傍に固定されている。すなわち、一方のブレース３は左側フレーム２ｃＬの上端部またはその近傍に、他方のブレース３は右側フレーム２ｃＲの上端部またはその近傍に固定されている。なお、図１（ａ）では、ブレース３を分かり易くするため、フレーム２から離して示しているが、実際には前記したようにフレーム２に固定されたものとなっている。
【００１７】
各ブレース３の一端部３ａは、本実施形態ではそれぞれ輪状に巻かれており、例えばこの輪にボルトが挿通されたことなどにより、フレーム２の角部に固定されている。
また、各ブレース３の他端部３ｂも、その一端部３ａと同様に輪状に形成されており、図４（ａ）に示すようにこの他端部３ｂの輪内には、鋼材等からなる走行軸６が挿通されている。この走行軸６には、その両端部に抜け止め（図示せず）が取り付けられており、これによって走行軸６は、他端部３ｂの輪内に保持固定されている。
【００１８】
また、この走行軸６は、後述するように地震時に落下（降下）することにより、側フレーム２ｃの長さ方向に沿って走行（降下）するよう構成されている。すなわち、本実施形態では、図４（ａ）に示したように側フレーム２ｃはチャンネル鋼材によって形成されており、その一対の側壁部７に、側フレーム２ｃの長さ方向、つまり鉛直方向に沿ってガイド溝８が形成されている。そして、これらガイド溝８に前記走行軸６が挿通されており、これによって前記ブレース３の他端部３ｂは、地震時に走行軸６がガイド溝８に沿って落下（降下）し、側フレーム２ｃの下端部、すなわち側フレーム２ｃと下フレーム２ｂとがなす角部あるいはその近傍に至るようになっている。
【００１９】
また、ガイド溝８には、図４（ｂ）に示すようにその下端部に引掛部９が形成されている。この引掛部９は、前記走行軸６が降下した際、ガイド溝８の下端部にて走行軸６を保持し、ここにブレース３の他端部３ｂを固定するためのものである。
また、この引掛部９より僅か上には、戻り防止機構が設けられている。この戻り防止機構は、一端側が軸１０によって回動可能に保持された可動片１１と、前記軸１０が設けられた側とガイド溝８を挟んだ反対の側に設けられた固定ピン１２と、可動片１１を図４（ｂ）中矢印で示すように前記固定ピン１２に向かう方向に付勢する付勢バネ（図示せず）とから構成されたものである。
【００２０】
このような構成のもとに戻り防止機構は、図４（ｂ）中において走行軸６がガイド溝８を降下した際、可動片１１が前記付勢バネの付勢力に抗して走行軸６を通過（降下）させ、前記引掛部９に係止させる。また、引掛部９に係止せず、その後の引張力で走行軸６を持ち上げる方向に力が働いても、走行軸６に押された可動片１１が固定ピン１２に当接し、それ以上の回動が不能になることにより、走行軸６、すなわちブレース３の他端部３ｂの上昇を防止する。したがって、前記引掛部９、さらには戻り防止機構により、ブレース３の他端部３ｂはフレーム２の下側の角部に固定されるようになっており、引掛部９や戻り防止機構により、本発明の固定手段が構成されている。
【００２１】
また、ブレース３の他端部３ｂは、地震のない通常時には、図１（ａ）に示したように側フレーム２ｃの上端部に保持されている。すなわち、他端部３ｂは、ここに固定された前記走行軸６が、側フレーム２ｃのガイド溝８の上端部にて保持手段１２に保持されており、これによって他端部３ｂは、上フレーム２ａ側に保持されている。
【００２２】
保持手段１２は、前記走行軸６を例えば機械的に保持し、後述する保持解除手段１３からの解除信号を受けた際には、その保持を解除するよう構成されたものである。例えば、進退可能に構成されたピンにより走行軸６を引っ掛けた状態で保持し、解除信号を受けた際にピンを後退させることにより、ピンによる走行軸６の保持を解除し、走行軸６をその自重により自然落下させるものである。また、保持具となるピンに走行軸６を引っ掛けた状態で保持させ、解除信号を受けた際に充電モータで走行軸６を強制的に降下させ、前記ピンを脱落させることで走行軸６を降下させるものであってもよい。
【００２３】
なお、本実施形態では、ブレース３はフレーム２の対角線の長さに相当する長さを有しており、上フレーム２ａの長さより長いことから、通常時においては、ブレース３はその中央部において部分的に巻回され、例えば図４（ａ）に示したようなチャンネル材（Ｃチャンネル）からなる上フレーム２ａの内部（側壁部７、７間）に収容されている。そして、例えば細い紐や小径のボルトなどによって上フレーム２ａに仮止めされている。このような構成により、後述するように地震時には、前記他端部３ｂの走行軸６が落下（降下）するのに伴い、仮止めが解除されてブレース３はその他端部３ｂ側全体が降下するようになっている。
【００２４】
前記保持解除手段１３は、図１（ａ）に示すように、地震を予知しまたは検知する地震予知検知手段１４に接続されたものである。この地震予知検知手段１４は、例えば早期地震警報システムや、広域ネットワークの早期センシング技術、さらには各種の地震検知センサからなるもので、揺れ等を感知することで地震を予知しまたは検知して地震発生を特定した際に、前記保持解除手段１３に保持解除信号を送信するものであり、室内等に配設されたものである。
【００２５】
このような構成のブレース型耐震装置１は、地震のない通常時には、ブレース３の中央部が上フレーム２ａ内に保持されてここに収納されており、またその他端部３ｂは、保持手段１２によって上フレーム２ａ側に保持されている。
また、地震予知検知手段１４によって地震発生が特定されると、この地震予知検知手段１４から保持解除手段１３に保持解除信号が送信される。保持解除手段１３は、この保持解除信号を受信すると、前記保持手段１２による前記ブレース３の他端部３ｂ（走行軸６）の保持を解除させる。
【００２６】
すると、一対のブレース３は、それぞれの他端部３ｂの走行軸６が、図１（ｂ）に示すように自重によって降下（自然落下）する。なお、ブレース３に対する仮止めは、前記したように走行軸６が落下（降下）するのに伴って解除される。そして、図４（ｂ）に示したようにガイド溝８の下端部に至り、引掛部９に係止する。これにより、各ブレース３は、それぞれの他端部３ｂが引掛部９、さらには戻り防止機構によって構成された固定手段によって固定される。すなわち、各ブレース３は、図１（ｃ）に示すようにその一端部３ａが固定された上フレーム２ａ側の角部に対して対角となる下フレーム２ｂ側の角部に、他端部３ｂが固定される。すると、前記したようにブレース３はフレーム２の対角線の長さに相当する長さを有していることから、フレーム２の上側の角部とその対角である下側の角部との間で緊張する。
【００２７】
これにより、一対のブレース３はフレーム２内において緊張した状態で×字型に配され、地震による建物への水平入力に対して有効に抵抗し、優れた耐震効果を奏するようになる。
なお、他端部３ｂ側の重量が比較的軽く、したがって保持手段１２による他端部３ｂ（走行軸６）の保持が解除された際に該他端部３ｂ側が迅速に降下（自然落下）しない場合には、例えば図４（ｂ）に示すように他端部３ｂの近傍に落下促進用の錘１５を取り付けておき、落下（降下）を迅速になさせるようにしてもよい。
【００２８】
このようなブレース型耐震装置１にあっては、前記したように地震のない通常時にはブレース３がフレーム２に収容保持されているので、柱梁架構における開口部５内を例えば×字型に分断することがなく、したがって開口部５内の空間の有効利用を図ることができ、また、外見上の印象を高めることもできる。
また、地震時には、ブレース３によって良好な耐震機能を発揮させることができ、これにより構造躯体の耐震性を十分に高めることができる。
さらに、比較的簡易な構成であり、しかも通常時にはブレース３がフレーム２に保持収納され、地震時にはこのフレーム２内の上側の角部とこれの対角の角部との間で緊張させられるようになっているので、このブレース型耐震装置１を構造躯体の柱梁架構に組み込みあるいは取り付ける際には、単に開口部５内、またはその近傍にフレーム２をアンカーボルトなどによって固定するだけでよく、施工が極めて容易になる。したがって、新築時はもちろん、補強時における耐震性の向上についても、従来に比べて格段に安価なコストで実現することができる。
【００２９】
また、ブレース３をワイヤブレース材によって形成しているので、これを折り畳むことなどによってフレーム２に容易に収納することができる。
さらに、側フレーム２ｃにガイド溝８を設け、ブレース３の他端部３ｂを下降させた際に固定手段に容易に固定させるようにしたので、全体の装置構成が簡易になり、構造躯体の柱梁架構に組み込みあるいは取り付ける際の施工がより容易になるとともに、装置の低コスト化も可能にすることができる。
【００３０】
図５（ａ）〜（ｃ）は、本発明のブレース型耐震装置の第２実施形態を示す正面図であり、図５中符号２０はブレース型耐震装置である。このブレース型耐震装置２０が図１に示したブレース型耐震装置１と主に異なるところは、ブレース３の他端部３ｂに、この他端部３ｂを案内するガイド部材として、小梁材２１を固定した点にある。
【００３１】
すなわち、このブレース型耐震装置２０においては、側フレーム２ｃＬ、２ｃＲのそれぞれの上端部またはその近傍に、Ｌアングルや細板、パイプ等からなり、側フレーム２ｃとほぼ同じ長さを有する小梁材２１が取り付けられている。この小梁材２１は、その基端部２１ａが図示しないヒンジや回動軸を介して取り付けられたことにより、その先端部２１ｂ側が回動可能になっている。この先端部２１ｂには、前記したようにワイヤーブレース材からなるブレース３の他端部３ｂが取付固定されている。ここで、一方の側フレーム２ｃＬの上端部に一端部３ａが固定されたブレース３は、図５（ｂ）に示すようにその他端部３ｂが、他方の側フレーム２ｃＲの上端部に基端部２１ａが取り付けられた小梁材２１に固定されており、同様に、他方の側フレーム２ｃＲの上端部に一端部３ａが固定されたブレース３は、その他端部３ｂが、一方の側フレーム２ｃＬの上端部に基端部２１ａが取り付けられた小梁材２１に固定されている。
【００３２】
各ブレース３の一端部３ａは、第１実施形態の場合と同様に輪状に巻かれており、この輪にボルトが挿通されたことなどにより、フレーム２の角部に固定されている。また、各ブレース３の他端部３ｂも輪状に形成されており、この輪にボルトが挿通されたことなどにより、小梁材２１の先端部２１ｂに回動可能に固定されている。
【００３３】
また、本実施形態では、第１実施形態と異なり、側フレーム２ｃにはガイド溝８が形成されておらず、代わって、側フレーム２ｃの下端部に連結器２２が取り付けられている。この連結器２２は、前記小梁材２１の先端部２１ｂに取り付けられた連結器２２に連結し、その状態で固定されるものである。すなわち、小梁材２１の先端部２１ｂにも、側フレーム２ｃの下端部に取り付けられた連結器２２と対応する位置に、同じ構成からなる連結器２２が取り付けられている。これら一対の連結器２２は、図６に示すように、湾曲した内面を有する基部２２ａに対し、把持部２２ｂが回動可能に保持されたものである。把持部２２は、基部２２ａの内面に対し、一定の距離の範囲内でしか可動できず、それより外側には開くことなくロックされる構造のものである。
【００３４】
したがって、これら一対の連結器２２は、互いに把持部２２ｂの回動軸２２ｃを外側にし、把持部２２を内側にした状態で対向させられ、さらに互いの回動軸２２ｃが干渉しないように把持部２２どうしが突き合わされることにより、図６に示したように互いの把持部２２どうしが係合するようになっている。また、このように互いの把持部２２が係合すると、把持部２２は外側には開かない（回動しない）ようになっているので、その係合が外れることなく、したがって強固に連結固定されたものとなる。このような構成からなる一対の連結器２２により、本発明の固定手段が構成されている。なお、把持部２２については、別に設けられたロック解除機構により、外側に開いて連結の解除が可能になっているのはもちろんである。
【００３５】
また、小梁材２１は、ブレース３の他端部３ｂを固定した先端部２１ｂにおいて、保持手段１２によって上フレーム２ａに保持されている。ここで、保持手段１２は、第１実施形態と同様に、小梁材２１の先端部２１ｂを機械的に保持し、保持解除手段１３からの解除信号を受けた際には、その保持を解除するよう構成されたものである。なお、保持解除手段１３に地震予知検知手段１４が接続されているのは、第１実施形態と同様である。そして、このように小梁材２１が保持手段１２によって上フレーム２ｂに保持されていることにより、この小梁材２１に固定されたブレース３の他端部３ｂは、小梁材２１を介して保持手段１２に保持されたものとなっている。
【００３６】
なお、本実施形態においても、ブレース３はフレーム２の対角線の長さに相当する長さを有していることから、通常時においては、ブレース３はその中央部において部分的に巻回され、図５（ａ）に示したように上フレーム２ａの内部またはその近傍に収容されている。そして、例えば細い紐や小径のボルトなどによって上フレーム２ａに仮止めされている。このような構成により、後述するように地震時には、小梁材２１の先端部２１ｂが落下（降下）し回動するのに伴い、仮止めが解除されてブレース３はその他端部３ｂ側全体が小梁材２１に伴われて降下するようになっている。
【００３７】
このような構成のブレース型耐震装置２０は、地震のない通常時には、ブレース３の中央部が上フレーム２ａ内またはその近傍に保持されてここに収納されており、またその他端部３ｂは、小梁材２１を介して保持手段１２によって上フレーム２ａ側に保持されている。
また、地震予知検知手段１４によって地震発生が特定されると、この地震予知検知手段１４から保持解除手段１３に保持解除信号が送信される。保持解除手段１３は、この保持解除信号を受信すると、前記保持手段１２による前記小梁材２１の先端部２１ｂの保持を解除させる。
【００３８】
すると、一対の小梁材２１は、それぞれの先端部２１ｂが、図５（ｂ）に示すように自重によって降下（自然落下）し、回動する。また、これによってブレース３は、小梁材２１の先端部２１ｂに固定されたそれぞれの他端部３ｂが、小梁材２１に伴われて降下し、回動する。
【００３９】
そして、図５（ｃ）に示したように小梁材２１の先端部２１ｂが側フレーム２ｃの下端部側に至ると、その際の衝撃力により、一対の連結器２２が対向した状態から、図６に示したように互いの把持部２２ｂを係合させ、連結した状態となる。このようにして一対の連結器２２が連結すると、前記したように把持部２２ｂどうしの係合が外れないことから、小梁材２１はその先端部２１ｂが側フレーム２ｃの下端部に固定されたものとなる。したがって、小梁材２１の先端部２１ｂに固定されたブレース３の他端部３ｂも、側フレーム２ｃの下端部、すなわち、図５（ｃ）に示すようにその一端部３ａが固定された上フレーム２ａ側の角部に対して対角となる下フレーム２ｂ側の角部に、固定されたものとなる。
【００４０】
すると、前記したようにブレース３はフレーム２の対角線の長さに相当する長さを有していることから、フレーム２の上側の角部とその対角である下側の角部との間で緊張する。これにより、一対のブレース３はフレーム２内において緊張した状態で×字型に配され、地震による建物への水平入力に対して有効に抵抗し、優れた耐震効果を奏するようになる。
【００４１】
このようなブレース型耐震装置２０にあっても、地震のない通常時にはブレース３がフレーム２に収容保持されているので、柱梁架構における開口部５内を例えば×字型に分断することがなく、したがって開口部５内の空間の有効利用を図ることができ、また、外見上の印象を高めることもできる。
また、地震時には、ブレース３によって良好な耐震機能を発揮させることができ、これにより構造躯体の耐震性を十分に高めることができる。
さらに、比較的簡易な構成であり、しかも通常時にはブレース３がフレーム２に保持収納され、地震時にはこのフレーム２内の上側の角部とこれの対角の角部との間で緊張させられるようになっているので、このブレース型耐震装置２０を構造躯体の柱梁架構に組み込みあるいは取り付ける際には、単に開口部５内、またはその近傍にフレーム２をアンカーボルトなどによって固定するだけでよく、施工が極めて容易になる。したがって、新築時はもちろん、補強時における耐震性の向上についても、従来に比べて格段に安価なコストで実現することができる。
また、ブレース３をワイヤブレース材によって形成しているので、これを折り畳むことなどによってフレーム２に容易に収納することができる。
【００４２】
図７（ａ）〜（ｃ）は、本発明のブレース型耐震装置の第３実施形態を示す正面図であり、図７中符号３０はブレース型耐震装置である。このブレース型耐震装置３０が図５に示したブレース型耐震装置２０と主に異なるところは、ブレース３１が、ワイヤーブレース材でなく、折曲可能かつ伸長可能なブレース材によって形成されている点である。
【００４３】
すなわち、このブレース型耐震装置３０においても、図７（ｂ）に示すように側フレーム２ｃＬ、２ｃＲのそれぞれの上端部またはその近傍に、Ｌアングルや細板、パイプ等からなり、側フレーム２ｃとほぼ同じ長さを有する小梁材２１が回動可能に取り付けられている。そして、その先端部２１ｂには、折曲可能かつ伸長可能なパイプブレース材からなるブレース３１の他端部３１ｂが取付固定されている。
【００４４】
ブレース３１は、本実施形態では回動軸（図示せず）やヒンジ（図示せず）を介して折曲可能に構成された一対のブレース材３２ａ、３２ｂからなっており、さらに先端側となるブレース材３２ｂは、伸長筒３３を有することで伸長可能に構成されている。すなわち、ブレース材３２ｂは、一対のブレース材要素３２ｃと、これらの間を連結させる伸長筒３３とからなっており、一対のブレース材要素３２ｃが、図８に示すようにそれぞれ伸長筒３３内を摺動可能に内挿されたことにより、伸長可能になっている。そして、最大に伸長した状態で、このブレース３１はフレーム２の対角線の長さに相当する長さとなるように構成されている。なお、伸長筒３３、ブレース要素３２ｃの双方には抜け止めが形成されており、これによってブレース要素３２ｃは、伸長筒３３から脱離しないようになっている。また、伸長筒３３は一つでなく、複数あってもよい。さらに、ブレース材３２ａ、３２ｂとしては、パイプブレース材や鋼材ブレース材などが用いられる。
【００４５】
このような構成からなるブレース３１は、通常時においては、図７（ａ）に示したように折り畳まれ、かつ短縮した状態で上フレーム２ａの内部またはその近傍に収容されている。そして、第２実施形態と同様に、小梁材２１が保持手段１２に保持されていることにより、ブレース３１も上フレーム２ａ側に保持されたものとなっている。
このような状態から、地震予知検知手段１４によって地震発生が特定されると、本実施形態のブレース型耐震装置３０では、第２実施形態と同様に、前記保持手段１２による前記小梁材２１の先端部２１ｂの保持が解除される。
【００４６】
すると、一対の小梁材２１は、それぞれの先端部２１ｂが、図７（ｂ）に示すように自重によって降下（自然落下）し、回動する。また、これによってブレース３１は、小梁材２１の回動に伴われて折り畳まれた状態から直線状に折曲し、かつ伸長する。
そして、図７（ｃ）に示したように小梁材２１の先端部２１ｂが側フレーム２ｃの下端部側に至ると、その際の衝撃力により、第２実施形態と同様にして一対の連結器２２が連結し、小梁材２１はその先端部２１ｂが側フレーム２ｃの下端部に固定される。
【００４７】
したがって、小梁材２１の先端部２１ｂに固定されたブレース３１の他端部も、側フレーム２ｃの下端部、すなわち、図７（ｃ）に示すようにその一端部が固定された上フレーム２ａ側の角部に対して対角となる下フレーム２ｂ側の角部に、固定されたものとなる。また、その際に一対のブレース材３２ａ、３２ｂは、直線上に延び、かつブレース材要素３２ｃ、３２ｃ間も適宜な長さに伸び、これにより、ブレース３１はフレーム２の上側の角部とその対角である下側の角部との間で緊張する。
したがって、一対のブレース３１はフレーム２内において緊張した状態で×字型に配され、地震による建物への水平入力に対して有効に抵抗し、優れた耐震効果を奏するようになる。
【００４８】
このようなブレース型耐震装置３０にあっても、第２実施形態のブレース型耐震装置２０と同様の効果を奏する。
また、ブレース３１を折曲可能かつ伸長可能なブレース材３２ａ、３２ｂを用いて形成しているので、これを折り畳むことなどにより、フレーム２に沿って確実にかつ容易に収納することができる容易に収納することができる。
【００４９】
なお、第３実施形態におけるブレース３１については、図９（ａ）に示すようにブレース材３２ａの長さをＬ１とし、ブレース材３２ｂが短縮した際の最小長さ、すなわち図７（ａ）に示したように上フレーム２ｃ側に折り畳まれた際の長さをＬmin とし、図９（ｂ）に示すように、ブレース材３２ｂが伸長して固定されたた際の最大長さをＬmax とし、さらに、図９（ａ）に示すように側フレーム２ｃの高さをＨとし、上フレーム２ａ（下フレーム２ｂ）の長さをＢとすると、以下の関係を満たすようになる。
【００５０】
・図７（ａ）に示したように、上フレーム２ａ側に折り畳まれている状態
Ｌ１−Ｌmin ＋Ｈ＝Ｂ  →  Ｌ１−Ｌmin ＝Ｂ−Ｈ
・図７（ｃ）に示したように、ブレース材３２ａ、３２ｂが直線上に伸長した状態
Ｌ１＋Ｌmax ＝√（Ｈ２＋Ｂ２）
・伸長筒が一つの場合
Ｌmin ≦ Ｌmax ＜Ｌmin ×２
このような関係を満たすようにＬ１、Ｌmin 、Ｌmax を設定すると、例えば以下の表に示す通りとなる。
【００５１】
【表１】
2008291499.tif 000003
【００５２】
図１０（ａ）〜（ｃ）は、本発明のブレース型耐震装置の第４実施形態を示す正面図であり、図１０中符号４０はブレース型耐震装置である。このブレース型耐震装置４０が前記の第１実施形態、第２実施形態、第３実施形態と主に異なるところは、フレーム２の縦横の寸法比が異なる点と、ブレース４１が、その一端部４１ａだけでなく、他端部４１ｂも予めフレーム２に回動可能に固定されている点である。
【００５３】
すなわち、このブレース型耐震装置４０は、図１０（ａ）に示すようにフレーム２が縦長の矩形枠形状になっており、特に上フレーム２ａ（下フレーム２ｂ）の長さＢと、側フレーム２ｃの長さＨとの関係が、以下の式を満たす場合のものである。
（３／４）Ｈ  ≧  Ｂ
なお、上記式は、フレーム２の対角線の長さ（√（Ｂ２＋Ｈ２））から上フレーム２ａの長さ（Ｂ）を引いた長さ（√（Ｂ２＋Ｈ２）−Ｂ）が、側フレーム２ｃの長さ（Ｈ）の半分の長さ（Ｈ／２）以上になるとした以下の式を前提に、導かれた式である。
√（Ｂ２＋Ｈ２）−Ｂ  ≧  Ｈ／２
なお、この前提となる式の意味については、後述する。
【００５４】
このような構成のフレーム２を備えたブレース型耐震装置４０は、ブレース４１が上端側ブレース４２と下端側ブレース材４３とからなっており、これらは、それぞれの上端部あるいは下端部が、図示しないヒンジや回動軸を介してフレーム２の角部に回動可能に取り付けられている。上端側ブレース４２と下端側ブレース材４３とは、回動軸を介して連結されており、これによって上端側ブレース４２と下端側ブレース材４３とは、その連結部において折曲可能になっている。
【００５５】
上端側ブレース材４２は、鋼材ブレース材やパイプブレース材からなっており、上フレーム２ａとほぼ同じ長さに形成されている。
下端側ブレース材４３は、鋼材ブレース材やパイプブレース材等からなる内挿部４３ａおよび外挿部４３ｂによって構成されたもので、内挿部４３ａが内挿部４３ｂの内部を摺動することにより、短縮可能に構成されたものである。
このような構成によって本実施形態におけるブレース材４１は、折曲可能かつ短縮可能に形成されたものとなっている。
【００５６】
また、下端側ブレース材４３には、その内挿部４３ａと外挿部４３ｂとの間に戻り防止機構が設けられている。これによって下端側ブレース材４３は、短縮可能に構成されているものの、一旦短縮すると、これらの間が元に戻って伸長してしまうことが防止されている。
【００５７】
すなわち、この下端側ブレース材４３には、例えば図１１（ａ）に示すように、外挿部４３ｂに内部孔４４が形成され、この内部孔４４には、その内壁面に鋸刃状の係止部４５が形成されている。一方、内挿部４３ａには、バネ等により内挿部４３ａの外側に一定の範囲で開くように付勢された一対の回転刃４６が、内挿部４３ａの長さ方向に沿って多数対形成されている。
【００５８】
このような構成のもとに下端側ブレース材４３は、外挿部４３ｂに対して内挿部４３ａが図１１（ａ）中の矢印○方向に進む際には、係止部４５の傾斜部４５ａによって回転刃４６が内側に回動することにより、円滑に移動する。一方、矢印×方向に進もうとすると、係止部４５の段差部４５ｂに回転刃４６が当接して外側に回動することにより、それ以上は移動できなくなる。よって、この下端側ブレース材４３は、内挿部４３ａが矢印○方向に移動して一旦短縮すると、矢印×方向には戻ることができず、したがって伸長してしまうことが防止されているのである。
【００５９】
また、下端側ブレース材４３には、例えば図１１（ｂ）に示すように、外挿部４３ｂに内部孔４４が形成され、この内部孔４４は、その開口側が漸次小径となるように形成されている。そして、この内部孔４４の内壁面と外挿部４３ｂとの間に複数のクサビ４７が配設され、さらに外挿部４３ｂの先端部と内部孔４４内とに、互いに係合可能な抜け止め４８が設けられている。
【００６０】
このような構成のもとに下端側ブレース材４３は、外挿部４３ｂに対して内挿部４３ａが図１１（ｂ）中の矢印○方向に進む際には、内挿部４３ａが摩擦によってクサビ４７を内部孔４４内の大径側に移動させることから、クサビ４７によって干渉されることなく、したがって円滑に移動する。一方、矢印×方向に進もうとすると、内挿部４３ａが摩擦によってクサビ４７を内部孔４４内の小径側（開口側）に移動させる。すると、クサビ４７は小径側に行くに連れて互いの間隔を狭め、これによって内挿部４３ｂの移動に干渉するようになる。したがって、さらに内挿部４３ｂが矢印×方向に進み、クサビ４７が間隔を狭めると、内挿部４３ｂはクサビ４７によって移動が妨げられ、それ以上は移動できなくなる。よって、この下端側ブレース材４３は、内挿部４３ａが矢印○方向に移動して一旦短縮すると、矢印×方向には戻ることができず、したがって伸長してしまうことが防止されているのである。
【００６１】
このような構成からなるブレース４１は、通常時においては、図１０（ａ）に示したように上端側ブレース４２と下端側ブレース４３との間で直角に折曲され、上フレーム２ａと側フレーム２ｃとに沿って収容されている。すなわち、上端側ブレース４２は上フレーム２ａに沿って配され、下端側ブレース４３はその下端部が固定された側の側フレーム２ｃに沿って配されている。そして、上端側ブレース４２の、下端側ブレース４３との連結部の近傍にて保持手段１２に保持されていることにより、ブレース４１は上フレーム２ａ側に保持されたものとなっている。なお、下端側ブレース４３は、側フレーム２ｃとほぼ同じ長さとなるように、内挿部４３ａと外挿部４３ｂとの間が引き延ばされている。
【００６２】
このような状態から、地震予知検知手段１４によって地震発生が特定されると、本実施形態のブレース型耐震装置４０では、先の実施形態と同様に、前記保持手段１２によるブレー４１の保持が解除される。
すると、ブレース材４１は、それぞれの自重によって図１０（ｂ）に示すように降下（自然落下）し、その中央部が回動する。また、これによってブレース４１の下端側ブレース４３は、外挿部４３ｂ内に内挿部４３ａが進入することによって短縮する。
【００６３】
そして、図１０（ｃ）に示したようにブレース４１がフレーム２の対角線に一致する位置に至り、上端側ブレース４２と下端側ブレース４３との連結部が直線状に延びると、その状態で回動を停止する。
すなわち、上端側ブレース４２と下端側ブレース４３とが直線状に延びると、ブレース４２の長さ、すなわちこの長さを変化させる内挿部４３ａと外挿部４３ｂとからなる下端側ブレース４３の長さが最小となり、図１１（ａ）あるいは図１１（ｂ）に示したように内挿部４３ａが外挿部４３ｂの内部孔４４の奥側に進入したことになる。
【００６４】
ここで、前記したように上端側ブレース４２は、上フレーム２ａとほぼ同じ長さに形成されて上フレーム２ａに沿って配されることから、この上端側ブレース４２の長さはＢとなる。また、下端側ブレース４３は、側フレーム２ｃとほぼ同じ長さに形成されて側フレーム２ｃに沿って配されることから、この下端側ブレース４３の長さ、すなわち伸長した状態での長さはＨとなる。また、この下端側ブレース４３は、上端側ブレース４２と下端側ブレース４３とが直線状に延びたときには短縮し、そのときの長さＸは以下の式に示される長さとなる。
Ｘ＝√（Ｂ２＋Ｈ２）−Ｂ
ここで、下端側ブレース４３は側フレーム２ｃの長さＨから最大に短縮しても、理論上は半分にしかならず、したがって、Ｘ≧Ｈ／２となる。
よって、フレーム２の各寸法は、前記したように（√（Ｂ２＋Ｈ２）−Ｂ  ≧  Ｈ／２）を満たす必要があり、すなわち、フレーム２が［（３／４）Ｈ  ≧  Ｂ］を満たす場合に、本実施形態の構造が適用可能となっているのである。
【００６５】
その後、ブレース４１がフレーム２の対角線の位置からずれようとしても、その際にはブレース４１全体の長さ、すなわち下端側ブレース４３の長さを長くする必要がある。しかしながら、前記したように下端側ブレース４３には戻り防止機構が設けられており、下端側ブレース材４３は一旦短縮すると、元の長さに伸長しないようになっていることから、ブレース４１はフレーム２の対角線の位置からずれることなくその位置にとどまる。これにより、ブレース４１はフレーム２の上側の角部とその対角である下側の角部との間で緊張する。
したがって、一対のブレース４１はフレーム２内において緊張した状態で×字型に配され、地震による建物への水平入力に対して有効に抵抗し、優れた耐震効果を奏するようになる。
【００６６】
このようなブレース型耐震装置４０にあっても、第２実施形態のブレース型耐震装置２０と同様の効果を奏する。
また、予めブレース４１の一端部をフレーム２の角部に固定され、他端部を対角となる角部に固定しているので、保持手段１２による保持が解除されて中央部が自重によって下降した際にも、ブレース４１の両端部を確実に固定した状態でこれを緊張させることができる。したがって、全体の装置構成が簡易になり、構造躯体の柱梁架構に組み込みあるいは取り付ける際の施工がより容易になるとともに、装置の低コスト化も可能になる。
【００６７】
図１２（ａ）〜（ｃ）は、本発明のブレース型耐震装置の第５実施形態を示す正面図であり、図１２中符号５０はブレース型耐震装置である。このブレース型耐震装置５０が前記の第４と主に異なるところは、フレーム２の縦横の寸法比が異なる点と、上端側ブレースを短縮可能に構成した点である。
すなわち、本実施形態は、第１実施形態〜第３実施形態に示したように、フレーム２が横長の矩形枠形状になっている場合に、第４実施形態に示したブレースの構造を適用したものであり、上フレーム２ａ（下フレーム２ｂ）の長さＢと側フレーム２ｃの長さＨとの関係が、［（３／４）Ｂ  ≧  Ｈ］のときに、適用可能なものである。
【００６８】
このブレース型耐震装置５０は、前記ブレース型耐震装置４０と同様に、ブレース５１が上端側ブレース５２と下端側ブレース材５３とからなっており、これらは、それぞれの上端部あるいは下端部が、図示しないヒンジや回動軸を介してフレーム２の角部に回動可能に取り付けられている。上端側ブレース５２と下端側ブレース材５３とは、回動軸を介して連結されており、これによって上端側ブレース５２と下端側ブレース材５３とは、その連結部において折曲可能になっている。ただし、本実施形態では、下端側ブレース材５３ではなく、上端側ブレース材５２が、内挿部５２ａおよび外挿部５２ｂによって構成され、短縮可能になっている。
【００６９】
このような構成によって本実施形態におけるブレース材５１も、折曲可能かつ短縮可能に形成されたものとなっている。
なお、上端側ブレース材５２にも、前記ブレース型耐震装置４０と同様に、その内挿部５２ａと外挿部５２ｂとの間に、図１１（ａ）、（ｂ）に示したような戻り防止機構が設けられている。これによって上端側ブレース材５２も、短縮可能に構成されているものの、一旦短縮すると、これらの間が元に戻って伸長してしまうことが防止されている。
【００７０】
このような構成からなるブレース５１は、通常時においては、図１２（ａ）に示したように上端側ブレース５２と下端側ブレース５３との間で直角に折曲され、上フレーム２ａと側フレーム２ｃとに沿って収容されている。
そして、地震予知検知手段１４によって地震発生が特定されると、保持手段１２によるブレー５１の保持が解除され、図１２（ｂ）に示すようにブレース材５１は自重によって降下（自然落下）し、その中央部が回動する。また、これによってブレース５１の上端側ブレース５２は、外挿部５２ｂ内に内挿部５２ａが進入することによって短縮する。
【００７１】
そして、図１２（ｃ）に示したようにブレース５１がフレーム２の対角線に一致する位置に至ると、上端側ブレース５２と下端側ブレース５３との連結部が直線状に延び、その状態で回動を停止する。
これにより、ブレース５１はフレーム２の上側の角部とその対角である下側の角部との間で緊張する。
したがって、一対のブレース５１はフレーム２内において緊張した状態で×字型に配され、地震による建物への水平入力に対して有効に抵抗し、優れた耐震効果を奏するようになる。
このようなブレース型耐震装置５０にあっても、第４実施形態のブレース型耐震装置２０と同様の効果を奏する。
【００７２】
なお、前記第４実施形態、第５実施形態のものは、前述したようにそれぞれフレーム２の縦横比が前記式に規定される条件を満たしている場合に、適用可能となっているが、いずれの条件をも満たさないようなフレーム構成の場合には、例えば上端側ブレースと下端側ブレースの両方を短縮可能にし、かつ、図１１（ａ）、（ｂ）に示したような戻り防止機構をそれぞれに設けることにより、そのようなフレーム構成に適用可能に構成することができる。また、前記式の条件は接続部の長さ等により若干変化することはいうまでもない。
【００７３】
また、本発明は前記実施形態に限定されることなく、本発明の要旨を逸脱しない範囲で種々の変更が可能である。例えば、前記実施形態ではブレースとしてワイヤブレースや鋼材ブレース、パイプブレース材を用いたが、各実施形態において要求される機能を発揮するものであれば、その材質や形状については特に限定することなく、種々のものが使用可能である。また、もちろん４３ａ、４３ｂの内挿部、外挿部と、５２ａ、５２ｂの内挿部、外挿部は、取付を逆にすることも可能である。
【図面の簡単な説明】
【００７４】
【図１】（ａ）〜（ｃ）は本発明のブレース型耐震装置の第１実施形態を示す正面図である。
【図２】柱梁架構における開口部内にフレームを取り付けた例を示す図であり、（ａ）は正面図、（ｂ）は平面図である。
【図３】柱梁架構における開口部の近傍にフレームを取り付けた例を示す図であり、（ａ）は正面図、（ｂ）は平面図である。
【図４】（ａ）はブレースの他端部の構成を説明するための斜視図、（ｂ）は固定手段の構成を説明するための正面図である。
【図５】（ａ）〜（ｃ）は本発明のブレース型耐震装置の第２実施形態を示す正面図である。
【図６】連結器どうしの連結を説明するための図である。
【図７】（ａ）〜（ｃ）は本発明のブレース型耐震装置の第３実施形態を示す正面図である。
【図８】ブレースの伸長機構を説明するための側断面図である。
【図９】（ａ）、（ｂ）はブレースの各ブレース材の長さとフレームの長さとの関係を説明するための図である。
【図１０】（ａ）〜（ｃ）は本発明のブレース型耐震装置の第４実施形態を示す正面図である。
【図１１】（ａ）、（ｂ）はいずれもブレースの戻り防止機構を説明するための模式図である。
【図１２】（ａ）〜（ｃ）は本発明のブレース型耐震装置の第５実施形態を示す正面図である。
【符号の説明】
【００７５】
１、２０、３０、４０、５０…ブレース型耐震装置、２…フレーム、２ａ…上フレーム、２ｂ…下フレーム、２ｃ…側フレーム、３、３１、４１、５１…ブレース、３ａ…一端部、３ｂ…他端部、４…柱梁架構、５…開口部、１２…保持手段、１３…保持解除手段、１４…地震予知検知手段、２１…小梁材、２１ａ…基端部、２１ｂ…先端部、２２…連結器、３２ａ、３２ｂ…ブレース材、３３…伸長筒、４２、５２…上端側ブレース、４３、５３…下端側ブレース、４３ａ、５２ａ…内挿部、４３ｂ、５２ｂ…外挿部
【図１】
2008291499.tif 000004
【図２】
2008291499.tif 000005
【図３】
2008291499.tif 000006
【図４】
2008291499.tif 000007
【図５】
2008291499.tif 000008
【図６】
2008291499.tif 000009
【図７】
2008291499.tif 000010
【図８】
2008291499.tif 000011
【図９】
2008291499.tif 000012
【図１０】
2008291499.tif 000013
【図１１】
2008291499.tif 000014
【図１２】
2008291499.tif 000015